(57)【要約】 【課題】生コンクリート製造工場における従来の原材料在庫管理システムは、サイロ内に在庫量監視装置を設置する必要があり、その設置のためにはサイロ内の在庫が全くない状態をつくらなければならず、サイロの新設時の稼動前であればこの設置作業は容易に行えるものの、稼働中のプラントのサイロに関しては困難であった。【解決手段】生コンクリート製造に使用した各原材料の量を、製造業者及び原材料納入業者が納入在庫データを共有することにより、原材料納品した数量と生産した使用量とを加算・減算することにより常時生コンクリート製造工場におけるセメントの在庫量が管理でき、納品業者は最も効率的な配送により納品して、生コンクリート製造工場は在庫管理を不要となるシステムである。【選択図】図１
2008019082.tif 000002
【特許請求の範囲】
【請求項１】
生コンクリート製造工場内にて生コンクリートの原材料である、セメント・砕石・砂を総合的に管理できるソフトウェアを所持している総合原材料在庫管理部と原料の納入管理状況を把握できるソフトウェアを持つ原材料業者の在庫管理部とがインターネットを介して在庫量のデータを共有することにおいて、生コンクリート工場における原材料の入荷に際して、納品時の数量を納入業者の在庫管理部のソフトウェアに入力して、生コンクリート製造時には、バッチャープラント操作盤の各原材料の使用量データが自動的に総合原材料在庫管理部へ送信されて、工場内の原材料の在庫量を把握することができることを特徴する生コンクリート製造工場における在庫管理システム。
【請求項２】
請求項１における生コンクリート製造工場の総合原材料在庫管理部と原材料納入業者の在庫管理部がインターネットを介して得られた両部共有の在庫量データは、生コンクリート工場における原材料の入荷に際して、納入業者の在庫管理部が納品数量を入力し、生コンクリート製造時には、バッチャープラント操作盤の各原材料の使用量データを自動的に総合原材料在庫管理部へ送信して、共有している各データ上でそれぞれの原材料を納品した数量から使用した数量を差し引くことにより、生コンクリート製造工場における在庫量を常時に確認することができることを特徴とする生コンクリート製造工場における在庫管理システム。
【請求項３】
請求項１における原材料の納入業者は生コンクリート製造プラントにおける原材料の仕入数量を実際に使用した数量として、原材料業者は総合原材料在庫管理部から得られた共有データを常時管理することにより、自主的に適切な在庫量に調整することができるようにしたことを特徴とする生コンクリート製造工場における在庫管理システム。
【発明の詳細な説明】
【技術分野】
【０００１】
本発明は、生コンクリート製造工場で使用されるセメント・砕石・砂等の在庫量を適切に管理する方法に関するものである。
【背景技術】
【０００２】
従来、生コンクリート製造プラントにおける原材料の在庫管理は、生コンクリート製造プラントの原材料在庫管理担当者が毎日目視又は簡易なメジャーによって行っており、原材料の発注は生コンクリート製造プラントの原材料在庫管理担当者の判断により行われている。進んだものでも、在庫量監視装置をサイロ内に取り付けて、サイロ内における残量を実際に計量するものであった。（特許文献１，２、３参照）
【特許文献１】特開２００１−３１８９６６号公報
【特許文献２】特開２００３−１４１２０７号公報
【特許文献３】特表２００４−５３０６０３号公報
【発明の開示】
【発明が解決しようとする課題】
【０００３】
従来の在庫数量の管理方法では、サイロ内に在庫量監視装置を設置する必要があり、その装置の設置のためには、サイロ内の在庫が全くない空の状態をつくらなければならない。またサイロなど設備を新設する時で稼動前であれば、この設置作業は容易に行えるものの、稼働中のプラントのサイロに関して在庫量監視装置を設置することは困難であった。
【０００４】
本発明は上記の点に鑑み、在庫量の計量をサイロの中の残量を実際に量るのではなく、
納品量から製造に使用した量を差し引くことにより在庫数量を正確に導き出して、在庫管理をする方法を提供することである。
【課題を解決するための手段】
【０００５】
本発明は、上記課題を解決するために、生コンクリート製造工場における各原材料の在庫量を確認することが可能である生コンクリート製造業の在庫管理システムにあっては、各生コンクリート製造工場のコンピューター内に生コンクリートの原材料である、セメント・砕石・砂等の総合原材料在庫管理ソフトを導入し、他方で原材料の納入業者はそれぞれの事業所のコンピューター内に生コンクリート工場における原材料業者が納入している原材料の在庫数量を管理するソフトウエアを導入する。前述の生コンクリート製造工場のコンピューター内に導入する総合的原材料の在庫数量を管理するソフトウエアと納入業者のコンピューター内に導入している在庫数量を管理するソフトウエアはインターネットを介して在庫数量のデータを共有することができる。生コンクリート工場における原材料の入荷に際しては、納品した数量を納入業者が各事業所の在庫管理ソフトウエアに入力する。生コンクリート工場での製造時には、バッチャープラント操作盤の各原材料の使用量データが自動的に総合原材料在庫管理ソフトウエアへ送信される。共有データ上で各原材料の納品数量から使用量を差し引くことにより、常時生コンクリート製造工場における在庫量を確認することを可能とした。
【０００６】
また生コンクリート製造工場における各原材料の在庫量を確認することが可能である生コンクリート製造業の在庫管理システムにあっては、生コンクリート製造プラントにおける原材料の仕入数量を納入数量ではなく実際に使用した数量とし、原材料の納入業者は前述の共有データを常時管理することが可能になることにより、各原材料の納入を適時効率的に行える。
【発明の効果】
【０００７】
本発明において生コンクリート製造業への原材料納入業者が生コンクリート製造工場における原材料の在庫管理を自ら行えるようになることにより、効率的な配送が可能となる。
【０００８】
また本発明の導入により、生コンクリート製造工場における原材料の在庫数量の管理にかける労力が大幅に軽減される。
【発明を実施するための最良の形態】
【０００９】
一般的な実施における状態、形態などを記述するが、この状態に限定するものではない。一例を以下実施例に示す。
【実施例】
【００１０】
具体的な実施状態の例を記述する。
生コンクリート製造工場において総合的に原材料を在庫する管理に関するソフトウエアを同工場内のコンピューターに導入する。本ソフトウエアによって管理する原材料の在庫量は生コンクリート製造工場の原材料在庫量を管理する責任者により実測し、その数量を総合原材料在庫管理部のソフトウエアに入力する。その後、生コンクリート製造工場において製品が製造されるたびに、バッチャープラント操作盤から原材料の使用量のデータが自動的に総合原材料在庫管理部ソフトウエアにデータが転送される。他方、原材料を納入する業者は在庫管理するソフトウエアを事業所のコンピューターに導入する。原材料を納入する業者は、原材料を生コンクリート製造工場に納入する都度、在庫管理部にその納品伝票の控えをもとに、納品した数量を入力する。生コンクリート製造工場の総合原材料在庫管理部と納入業者の在庫管理部はインターネットを介して、本システム導入時の在庫量データ、及び生産使用量のデータ、並びに納品数量のデータを共有しており、納入する時に在庫の数量に納品した数量を加算し、さらに生産して使用数量を減算する演算式をもつソフトウエアによって在庫管理する。このシステムにより、常時生コンクリート製造工場におけるセメント、砂、採石の在庫の数量を原材料業者と製造工場の両者で管理することが出来る。毎月末において生コンクリート製造工場における原材料の在庫数量を管理する責任者は原材料の在庫量を実測し、翌月初棚卸量として月末における在庫量を修正する。原材料の納入業者は生コンクリート製造工場の在庫量が生産により減少し、次の納品が出来るだけのスペースが保管庫に生じた場合に、納品業者は効率的な配送により工場のサイロに納品する。生コンクリート製造工場においては適切な在庫の数量になって、独自の在庫の数量管理が不要となる。
【図面の簡単な説明】
【００１１】
【図１】生コンクリート製造工場の原材料在庫管理方法の概念図
【符号の説明】
【００１２】
１セメント用サイロ
２砕石用サイロ
３砂用サイロ
４セメント供給のセメント用在庫管理部ソフトウエア
５砕石供給の砕石用在庫管理部ソフトウエア
６砂供給の砂用在庫管理部ソフトウエア
７総合原材料在庫管理部のソフトウエア
８原材料業者のセメント運搬用車輌
９原材料業者の砕石運搬用車輌
１０原材料業者の砂運搬用車輌
１１生コンクリート工場
１２バッチャープラント
【図１】
2008019082.tif 000003